(57)【要約】【課題】端末に予め登録した写真等を不必要に第三者に見せることを防止してプライバシーを保護する。【解決手段】端末保持者のプライバシー保護方法、端末及びプログラムであって、プライバシーモードと非プライバシーモードの間で切り替え可能な機能を予め持たせた端末のアドレス帳に登録された個人及び法人の少なくとも一方の写真及び対応音声の少なくとも一方を予め登録し、端末への着信時に、プライバシーモードの場合はアドレス帳に登録された写真の表示及び登録された音声の再生に替えて発信者を特定できない画像の表示及び音声の再生の少なくとも一方を行い、着信端末への着信時に、非プライバシーモードの場合はアドレス帳に登録された写真の表示及び登録された音声の再生の少なくとも一方を行う。【選択図】図１
2007243678.tif 000002
【特許請求の範囲】
【請求項１】
プライバシーモードと非プライバシーモードの間で切り替え可能な機能を予め持たせた端末のアドレス帳に登録された個人及び法人の少なくとも一方の写真及び対応音声の少なくとも一方を予め登録し、
前記端末への着信時に、前記プライバシーモードの場合は前記アドレス帳に登録された写真の表示及び登録された音声の再生に替えて発信者を特定できない画像の表示及び音声の再生の少なくとも一方を行い、
前記着信端末への着信時に、前記非プライバシーモードの場合は前記アドレス帳に登録された写真の表示及び登録された音声の再生の少なくとも一方を行う、
ことを特徴とする端末保持者のプライバシー保護方法。
【請求項２】
前記非プライバシーモードの場合に、非プライバシーモードの少なくとも二つのレベルのいずれの非プライバシーモードかを判定し、
判定された非プライバシーモードのレベルに対応して予め前記アドレス帳に登録された写真の表示及び登録された音声の再生の少なくとも一方を行う、
ことを特徴とする請求項１に記載のプライバシー保護方法。
【請求項３】
プライバシーモードと非プライバシーモードの間で切り替え可能な機能を予め持たせた端末のアドレス帳に登録された個人及び法人の少なくとも一方の写真及び対応音声の少なくとも一方を予め登録する手段と、
前記端末への着信時に、前記プライバシーモードの場合は前記アドレス帳に登録された写真の表示及び登録された音声の再生に替えて発信者を特定できない画像の表示及び音声の再生の少なくとも一方を行う手段と、
前記着信端末への着信時に、前記非プライバシーモードの場合は前記アドレス帳に登録された写真の表示及び登録された音声の再生の少なくとも一方を行う手段と、
を備えることを特徴とする端末保持者のプライバシー保護端末装置。
【請求項４】
前記非プライバシーモードの場合に、非プライバシーモードの少なくとも二つのレベルのいずれの非プライバシーモードかを判定する手段と、
判定された非プライバシーモードのレベルに対応して予め前記アドレス帳に登録された写真の表示及び登録された音声の再生の少なくとも一方を行う手段と、
を備えることを特徴とする請求項３に記載のプライバシー保護端末装置。
【請求項５】
コンピュータに、
プライバシーモードと非プライバシーモードの間で切り替え可能な機能を予め持たせた端末のアドレス帳に登録された個人及び法人の少なくとも一方の写真及び対応音声の少なくとも一方を予め登録する手順と、
前記端末への着信時に、前記プライバシーモードの場合は前記アドレス帳に登録された写真の表示及び登録された音声の再生に替えて発信者を特定できない画像の表示及び音声の再生の少なくとも一方を行う手順と、
前記着信端末への着信時に、前記非プライバシーモードの場合は前記アドレス帳に登録された写真の表示及び登録された音声の再生の少なくとも一方を行う手順と、
を実行させるための端末保持者のプライバシー保護プログラム。
【発明の詳細な説明】
【技術分野】
【０００１】
本発明は端末保持者のプライバシー保護方法、プライバシー保護端末装置及びプライバシー保護プログラムに関し、特に携帯端末の保持者のプライバシー保護方法、端末装置及びプログラムに関する。
【背景技術】
【０００２】
近年の携帯端末にはアドレス帳に登録した法人又は個人の識別を着信時に容易にするためや楽しみのために、その法人又は個人に対応する写真や音声を登録する機能が付加されているものがある。
【０００３】
従来の携帯端末の着信機能では、アドレス帳に登録されている発呼者の顔写真等がそのまま受信側の携帯端末に表示されていた。
【０００４】
【特許文献１】特開２００１−２４７７６
【特許文献２】特開２００５−５００１２
【発明の開示】
【発明が解決しようとする課題】
【０００５】
したがって、例えば携帯端末を手元から離れた場所に放置している間に着信があり、その携帯端末保持者以外の第三者がその携帯端末を使用して着信に応答しようとすると、アドレス帳に登録されている顔写真等がその第三者に見られてしまう。この場合、その写真等が第三者に見られても問題がなければそれでよいが、例えば、取引先を知られては困るような場合や、交際相手を知られては困るような場合に、プライバシーが保護されないという問題がある。
【０００６】
携帯端末等の移動無線端末に限らず、有線の電話端末やパーソナル・コンピュータなどの端末においても同様の問題がある。
【０００７】
本発明の目的は、上記従来技術における問題にかんがみ、端末にプライバシーモードと非プライバシーモードを設け、アドレス帳に登録されている写真等を非プライバシーモードのときだけ着信時に表示させることにより、端末に予め登録した顔写真等を不必要に第三者に見せることを防止してプライバシーを保護する端末保持者のプライバシー保護方法、プライバシー保護端末装置及びプライバシー保護プログラムを提供することにある。
【課題を解決するための手段】
【０００８】
上記目的を達成するために、本発明の第１の態様により、プライバシーモードと非プライバシーモードの間で切り替え可能な機能を予め持たせた端末のアドレス帳に登録された個人及び法人の少なくとも一方の写真及び対応音声の少なくとも一方を予め登録し、端末への着信時に、プライバシーモードの場合はアドレス帳に登録された写真の表示及び登録された音声の再生に替えて発信者を特定できない画像の表示及び音声の再生の少なくとも一方を行い、着信端末への着信時に、非プライバシーモードの場合はアドレス帳に登録された写真の表示及び登録された音声の再生の少なくとも一方を行うことを特徴とする端末保持者のプライバシー保護方法が提供される。
【０００９】
本発明の第２の態様により、第１の態様において、非プライバシーモードの場合に、非プライバシーモードの少なくとも二つのレベルのいずれの非プライバシーモードかを判定し、判定された非プライバシーモードのレベルに対応して予めアドレス帳に登録された写真の表示及び登録された音声の再生の少なくとも一方を行う。
【００１０】
本発明の第３の態様によれば、第１の態様による方法を実現するプライバシー保護端末装置及びプライバシー保護プログラムが提供される。
【発明の効果】
【００１１】
本発明によれば、アドレス帳に登録された発呼者の顔写真や音声を発呼者からの着信時に非プライバシーモードのときのみ表示又は再生するようにしたので、プライベートモードにしておけば端末保持者のアドレス帳に登録された個人又は法人の写真や音声を第三者に見られたり聞かれたりすることを防止することができ、プライバシーを保護することができる。
【発明を実施するための最良の形態】
【００１２】
以下に図面により本発明の実施の形態を説明する。
図１は本発明の一実施の形態によりプライバシー保護方法を説明するフローチャートである。このフローチャートを実行するソフトウェアは、予め携帯端末に組み込んでおくか、ソフトウェアの提供者から既存の携帯端末に予め無線又は有線を用いてインターネット等を介してダウンンロードしておく。同図において、ステップ１１にて携帯端末に着信があると、ステップ１２にてこのソフトウェアが起動されてステップ１２にて携帯端末がプライバシーモードになっているかどうかを判定する。プライバシーモードであればステップ１３にてプライバシー保護画面を表示する。プライバシー保護画面としては、例えば、風景画像や花の画像等、発呼者を特定できない画像であれば何でもよい。これにより、この携帯端末を手元から離れた場所に置き忘れて携帯端末保持者以外の第三者がこの着信に応答しようとしても、その携帯端に表示される画像は発呼者を特定できない画像なので、その第三者は発呼者が誰であるかを直ちには特定できず、携帯端末保持者のプライバシーが保護される。
【００１３】
ステップ１２の判断で非プライバシーモードであれば、ステップ１４にてその非プライバシーモードがレベル０かレベル１かを判定する。レベルが０であれば非プライバシーモードであっても発呼者をある程度は識別可能にするために、例えば、ステップ１５にて発呼者がアドレス帳のどのグループに属しているかを判定し、Ａ社に属している人であればステップ１６にてＡ社のロゴマークを表示し、Ｂ社に属している人であればステップ１７にてＢ社の写真を表示し、サークルに属している人であればそのサークルに対応して予め登録してある音楽を再生する、等の処理を行う。
【００１４】
ステップ１４の判定でレベル１であれば、完全な非プライバシーモードとなり、ステップ１９にてアドレス帳に予め登録してある画像を表示する。登録してある画像としては、個人の顔写真であっても個人を識別可能な他の画像であってもよい。画像と共にあるいは画像に替えて、個人を識別可能な音楽等の音声を再生してもよい。
非プライバシーモードのレベル数は更に多くしてもよいし、１つだけでもよい。
【００１５】
図２は本発明の一実施の形態によるプライバシー保護方法を実現する携帯電話機の外観を示す図である。同図において、２１は携帯電話機、２２は表示面、２３は本発明にかかるプライバシーモードと非プライバシーモードとの切換えボタン、２４は文字や数字を入力するためのテンキーである。
【００１６】
通常は、携帯電話機を閉じるとロックされてロック番号を入力しなければその携帯電話機の操作は出来ないが、着信時にはロック番号を入力しなくても着信が可能である。着信があると、従来は着信ボタンを押すことによりアドレス帳に登録してある発呼者の顔写真等が表示されたが、本発明の実施の形態によれば、切換えボタン２３を操作して予めプライバシーモードに設定しておけば、着信時でも発呼者の写真等が表示されることはない。
【００１７】
図３は本発明の他の実施の形態によるプライバシー保護端末装置の構成を示すブロック図である。
同図において、プライバシー保護端末装置プライバシーモードと非プライバシーモードの間で切り替え可能な機能を予め持たせた端末のアドレス帳に登録された個人及び法人の少なくとも一方の写真及び対応音声の少なくとも一方を予め登録する手段３３と、端末への着信時に、プライバシーモードの場合はアドレス帳に登録された写真の表示及び登録された音声の再生に替えて発信者を特定できない画像の表示及び音声の再生の少なくとも一方を行う手段３３と、着信端末への着信時に、非プライバシーモードの場合はアドレス帳に登録された写真の表示及び登録された音声の再生の少なくとも一方を行う手段３４とを備えている。このプライバシー保護端末装置は、例えば携帯電話機に搭載される。
【００１８】
本発明の更に他の態様により、プライバシー保護装置は、非プライバシーモードの場合に、非プライバシーモードの少なくとも二つのレベルのいずれの非プライバシーモードかを判定する手段を備えてもよい。この場合は、画像表示音声再生手段３３は判定された非プライバシーモードのレベルに対応して予め前記アドレス帳に登録された写真の表示及び登録された音声の再生の少なくとも一方を行う。
【００１９】
以上の実施の形態では端末として移動無線装置である携帯電話機を用いたが、本発明はこれに限定されず、端末としては、有線の電話機でもパーソナルコンピュータであってもよい。
【００２０】
（付記１）
プライバシーモードと非プライバシーモードの間で切り替え可能な機能を予め持たせた端末のアドレス帳に登録された個人及び法人の少なくとも一方の写真及び対応音声の少なくとも一方を予め登録し、
前記端末への着信時に、前記プライバシーモードの場合は前記アドレス帳に登録された写真の表示及び登録された音声の再生に替えて発信者を特定できない画像の表示及び音声の再生の少なくとも一方を行い、
前記着信端末への着信時に、前記非プライバシーモードの場合は前記アドレス帳に登録された写真の表示及び登録された音声の再生の少なくとも一方を行う、
ことを特徴とする端末保持者のプライバシー保護方法。
【００２１】
（付記２）
前記非プライバシーモードの場合に、非プライバシーモードの少なくとも二つのレベルのいずれの非プライバシーモードかを判定し、
判定された非プライバシーモードのレベルに対応して予め前記アドレス帳に登録された写真の表示及び登録された音声の再生の少なくとも一方を行う、
ことを特徴とする付記１に記載のプライバシー保護方法。
【００２２】
（付記３）
前記登録された写真は、登録者のロゴマーク及び登録者の写真のいずれかであり、前記登録された音声は、登録者の音声及び登録者に対応する音楽のいずれかである、付記１に記載のプライバシー保護方法。
【００２３】
（付記４）
プライバシーモードと非プライバシーモードの間で切り替え可能な機能を予め持たせた端末のアドレス帳に登録された個人及び法人の少なくとも一方の写真及び対応音声の少なくとも一方を予め登録する手段と、
前記端末への着信時に、前記プライバシーモードの場合は前記アドレス帳に登録された写真の表示及び登録された音声の再生に替えて発信者を特定できない画像の表示及び音声の再生の少なくとも一方を行う手段と、
前記着信端末への着信時に、前記非プライバシーモードの場合は前記アドレス帳に登録された写真の表示及び登録された音声の再生の少なくとも一方を行う手段と、
を備えることを特徴とする端末保持者のプライバシー保護端末装置。
【００２４】
（付記５）
前記非プライバシーモードの場合に、非プライバシーモードの少なくとも二つのレベルのいずれの非プライバシーモードかを判定する手段と、
判定された非プライバシーモードのレベルに対応して予め前記アドレス帳に登録された写真の表示及び登録された音声の再生の少なくとも一方を行う手段と、
を備えることを特徴とする付記４に記載のプライバシー保護端末装置。
【００２５】
（付記６）
コンピュータに、
プライバシーモードと非プライバシーモードの間で切り替え可能な機能を予め持たせた端末のアドレス帳に登録された個人及び法人の少なくとも一方の写真及び対応音声の少なくとも一方を予め登録する手順と、
前記端末への着信時に、前記プライバシーモードの場合は前記アドレス帳に登録された写真の表示及び登録された音声の再生に替えて発信者を特定できない画像の表示及び音声の再生の少なくとも一方を行う手順と、
前記着信端末への着信時に、前記非プライバシーモードの場合は前記アドレス帳に登録された写真の表示及び登録された音声の再生の少なくとも一方を行う手順と、
を実行させるための端末保持者のプライバシー保護プログラム。
【産業上の利用可能性】
【００２６】
本発明により、端末にプライバシーモードと非プライバシーモードを設け、アドレス帳に登録されている顔写真等を非プライバシーモードのときだけ着信時に表示させることにより、プライバシーモードでは端末に予め登録した写真等を不必要に第三者に見せることを防止してプライバシーを保護する端末保持者のプライバシー保護方法、プライバシー保護端末装置及びプライバシー保護プログラムが提供される。
【図面の簡単な説明】
【００２７】
【図１】本発明の一実施の形態によりプライバシー保護方法を説明するフローチャートである。
【図２】本発明の一実施の形態によるプライバシー保護方法を実現する携帯電話機の外観を示す図である。
【図３】本発明の他の実施の形態によるプライバシー保護端末装置の構成を示すブロック図である。
【符号の説明】
【００２８】
２１    携帯電話機
２２    表示画面
２３    プライバシーモードと非プライバシーモードとの切換えボタン
３１    非プライバシーモードレベル判定手段
３２    写真・音声登録手段
３３    画像表示・音声再生手段
３４    登録写真表示・登録音声再生手段
【図１】
2007243678.tif 000003
【図２】
2007243678.tif 000004
【図３】
2007243678.tif 000005